(57)【要約】【課題】  携帯電話機１を用いた操作によって、複数のメディア情報を配置したページ情報を容易に作成してサーバＳに登録することを実現する。【解決手段】  携帯電話機１の画面１０にページ情報に含ませる写真やテキスト等のメディア情報を配置するための複数のブロック４０ａ〜４０ｄを画面１０の幅内で区画して設け、携帯電話木の十字ボタンキー２０の操作により、編集対象のブロックを選択し、当該ブロックに対するサイズ変更やメディア情報を配置といった処理を行い、作成してページ情報を当該携帯電話機１からサーバＳに送信して登録する。【選択図】  図５
2006060463.tif 000002
【特許請求の範囲】
【請求項１】
ページ情報を作成して、当該ページ情報をサーバへ送信して登録することによりネットワークに公開する機能を有する携帯電話機であって、
情報を表示する画面と、
ページ情報に含ませるメディア情報を配置するための領域である複数の矩形ブロックを画面の幅内で区画して当該画面に表示する表示機能と、
画面に表示された複数のブロックの内からメディア情報の配置対象となるブロックの選択位置を上下左右に移動させるための方向操作キーと、
を有することを特徴とする携帯電話機。
【請求項２】
請求項１に記載の携帯電話機において、
ブロックを大きさ変更するために選択決定する決定操作キーを更に有し、
前記表示機能は、ブロックが選択決定されたことに応じて当該ブロックの大きさを変更させる操作入力を受け付けるためのソフトキーを画面に表示することを特徴とする携帯電話機。
【請求項３】
請求項１に記載の携帯電話機において、
ブロックを位置移動するための選択決定する決定操作キーを更に有し、
前記表示機能は、ブロックが選択決定されたことに応じて当該ブロックの画面上で配置位置を移動させる操作入力を受け付けるためのソフトキーを画面に表示することを特徴とする携帯電話機。
【請求項４】
請求項１に記載の携帯電話機において、
ブロックをメディア情報を配置するために選択決定する決定操作キーを更に有し、
前記表示機能は、ブロックが選択決定されたことに応じて当該ブロックにメディア情報を配置せる操作入力を受け付けるためのソフトキーを画面に表示することを特徴とする携帯電話機。
【請求項５】
請求項１に記載の携帯電話機において、
ブロックをメディア情報を配置するために選択決定する決定操作キーを更に有し、
前記表示機能は、ブロックが選択決定されたことに応じて当該ブロックに配置するメディア情報の種別の選択入力を受け付けるためのソフトキーを画面に表示し、更に、メディア情報の種別が選択されたことに応じて当該ブロックに配置するメディア情報を入力する操作入力を受け付けるためのソフトキーを画面に表示することを特徴とする携帯電話機。
【請求項６】
請求項４又は請求項５に記載の携帯電話機において、
前記決定操作キーにより選択決定されるブロックは既にメディア情報が配置されているブロックであり、
当該選択決定されたブロックに対してメディア情報が更新配置されることを特徴とする携帯電話機。
【請求項７】
請求項４又は請求項５に記載の携帯電話機において、
前記決定操作キーにより選択決定されるブロックは未だメディア情報が配置されていないブロックであり、
当該選択決定されたブロックに対してメディア情報が新たに配置されることを特徴とする携帯電話機。
【請求項８】
携帯電話機がページ情報を作成してサーバへ送信して登録し、当該サーバが当該ページ情報をネットワークに公開するシステムであって、
携帯電話機は、情報を表示する画面と、ページ情報に含ませるメディア情報を配置するための領域である複数の矩形ブロックを画面の幅内で区画して当該画面に表示する表示機能と、方向操作キーからの操作入力に応じて選択位置を上下左右に移動させて画面に表示された複数のブロックの内からメディア情報の配置対象となるブロックを選択する機能と、メディア情報を配置するためにブロックを選択決定する決定操作キーからの操作入力に応じて当該ブロックにメディア情報を配置せる操作入力を受け付けるためのソフトキーを画面に表示する機能と、ソフトキーからのメディア情報を配置させる操作入力に応じて入力されたメディア情報を当該ブロックの位置に配置したページ情報を作成する機能と、作成したページ情報をサーバへ登録するために無線送信する機能とを有することを特徴とするページ情報作成登録システム。
【請求項９】
携帯電話機により当該サーバがネットワークに公開するページ情報を作成して登録する方法であって、
携帯電話機が、ページ情報に含ませるメディア情報を配置するための領域である複数の矩形ブロックを画面の幅内で区画して当該画面に表示し、方向操作キーからの操作入力に応じて選択位置を上下左右に移動させて画面に表示された複数のブロックの内からメディア情報の配置対象となるブロックを選択し、メディア情報を配置するためにブロックを選択決定する決定操作キーからの操作入力に応じて当該ブロックにメディア情報を配置させる操作入力を受け付けるためのソフトキーを画面に表示し、ソフトキーからのメディア情報を配置せる操作入力に応じて入力されたメディア情報を当該ブロックの位置に配置したページ情報を作成し、作成したページ情報をサーバへ登録するために無線送信し、
サーバが、携帯電話機から送信されたページ情報を受信し、受信したページ情報をネットワークに公開するために登録することを特徴とするページ情報作成登録方法。
【請求項１０】
携帯電話機が有するコンピュータハードウエアが実行することにより、携帯電話機にページ情報を作成して当該ページ情報をネットワークに公開するサーバへ送信する処理を実行させるプログラムであって、
ページ情報に含ませるメディア情報を配置するための領域である複数の矩形ブロックを携帯電話機の画面の幅内で区画して当該画面に表示する機能と、
方向操作キーからの操作入力に応じて選択位置を上下左右に移動させて画面に表示された複数のブロックの内からメディア情報の配置対象となるブロックを選択する機能と、
メディア情報を配置するためにブロックを選択決定する決定操作キーからの操作入力に応じて当該ブロックにメディア情報を配置せる操作入力を受け付けるためのソフトキーを画面に表示する機能と、
ソフトキーからのメディア情報を配置させる操作入力に応じて入力されたメディア情報を当該ブロックの位置に配置したページ情報を作成する機能と、
作成したページ情報をサーバへ登録するために無線送信する機能とを、携帯電話機に実現することを特徴とするコンピュータプログラム。
【発明の詳細な説明】
【技術分野】
【０００１】
本発明は、ネットワーク上に公開されるページ情報（Ｗｅｂ情報）を作成する機能を有する携帯電話機に関し、特に、携帯電話機により容易にページ情報を作成してサーバに登録することができる技術に関する。
【背景技術】
【０００２】
ネットワーク上に公開されているページ情報は、パーソナルコンピュータによりアクセスされて広く閲覧に供されている。また、携帯電話機の機能の拡充により、同様に、ネットワーク上に公開されているページ情報を携帯電話機によりアクセスして、携帯電話機の画面に表示して閲覧に供することも行われている。
なお、携帯電話機は処理能力、メモリ容量、表示画面の大きさがパーソナルコンピュータに較べて劣る等の理由から、携帯電話機用のページ情報はコンパクトなデータとして用意し、携帯電話機によってもページ内容を支障なく閲覧できるようにしている。
【０００３】
ページ情報は、ページの所有者や管理者がパーソナルコンピュータを操作して作成し、ページ情報をネットワーク上に公開するサーバに当該作成したページ情報を登録することで、上記のように閲覧に供されている。具体的には、例えば、オペレータがパーソナルコンピュータを操作して、ページ情報に含ませるテキスト、写真、動画等のメディア情報を配置するページレイアウトを行い、当該レイアウトした各領域にメディア情報を入力配置することでページ情報を作成して、サーバに登録している。
従来、このようなページ情報の作成登録操作は携帯電話機用のページ情報についても同様であり、上記のようなオペレータによるパーソナルコンピュータ操作でなされていた。
【発明の開示】
【発明が解決しようとする課題】
【０００４】
携帯電話機によるページ情報の閲覧は、何時でも何処ででも手軽に情報を得ることができることから飛躍的に利用が増大してきており、ページ情報を閲覧するユーザの利用のみならず、ページ情報を公開する側のユーザによる利用も増大している。
例えば、閲覧側のユーザが出先等においてレストランや小売店を探すのに携帯電話機によるページ情報の閲覧は極めて便利であり、また、レストランや小売店の公開側のユーザは自らの商品情報をユーザに提供するのにきわめて便利である。
【０００５】
携帯電話機に対するページ情報の公開は上記のような大きな効果を得られることから、公開側のユーザにおいてパーソナルコンピュータを用いずとも携帯電話機によって用意にページ情報を作成して登録でき、また、ページ情報を更新できることが望まれる。
しかしながら、携帯電話機は持ち運びに便利な小型の機器であることからも、パーソナルコンピュータに較べて表示画面が小さく、また、ユーザ操作を入力するための操作キーの数が少ないという事情がある。このため、ページ情報中に種々なメディア情報をレイアウトする操作や、これらメディア情報を入力して配置する操作等を、限られた大きさの画面と限られた数の操作キーによって行うのは現状では困難であるという課題があった。
【０００６】
本発明は、上記従来の事情に鑑みなされたもので、携帯電話機を用いた操作によっても、複数のメディア情報を配置したページ情報を容易に作成してサーバに登録することができる環境を実現することを目的としている。
【課題を解決するための手段】
【０００７】
本発明に係る携帯電話機では、情報を表示する画面に、ページ情報に含ませるメディア情報を配置するための領域である複数の矩形ブロックを当該画面の幅内で区画して表示し、方向操作キーからの操作入力に応じて、画面に表示された複数のブロックの内からメディア情報の配置対象となるブロックの選択位置を上下左右に移動させる。
【０００８】
携帯電話機の画面は縦方向にはスクロール表示機能によって表示情報の制限はあまりないが、横方向（すなわち、画面の幅方向）にはこのようなスクローク表示機能がないので表示情報の大きさが厳しく制限される。本発明では、メディア情報を配置するためのブロックを画面の幅内で区画して表示することで、携帯電話機の画面に対する表示情報の制限に従ったテンプレート的なブロック領域を予め設定し、携帯電話機によるページレイアウト操作を支援する。そして、このようなブロック配置を行うことにより、携帯電話機に十字キー形式やジョイスティック形式で備えられている方向操作キーを操作するだけで、ユーザが操作対象とするブロックを容易に選択することを実現している。
【０００９】
更に、本発明に係る携帯電話機では、携帯電話機に上記方向操作キーの他に設けられている決定操作キー（例えば、十字キーの中央に設けられている決定キー）がユーザによって操作されたことでブロックを大きさ変更するために選択決定入力とし、ブロックが選択決定されたことに応じて当該ブロックの大きさを変更させる操作入力を受け付けるためのソフトキーを画面に表示する。
したがって、例えば、ソフトキーに従った方向操作キーによるドラッグ操作をユーザが行うことで、選択決定したブロックの大きさを容易に変更することができ、ページ内におけるブロック（すなわち、メディア情報）のレイアウトを容易に変更することができる。
【００１０】
更に、本発明に係る携帯電話機では、携帯電話機に上記方向操作キーの他に設けられている決定操作キー（例えば、十字キーの中央に設けられている決定キー）がユーザによって操作されたことでブロックを位置移動するための選択決定入力とし、ブロックが選択決定されたことに応じて当該ブロックの画面上で配置位置を移動させる操作入力を受け付けるためのソフトキーを画面に表示する。
したがって、例えば、ソフトキーに従った方向操作キーによる移動操作をユーザが行うことで、選択決定したブロックの配置位置を容易に変更することができ、ページ内におけるブロック（すなわち、メディア情報）のレイアウトを容易に変更することができる。
【００１１】
更に、本発明に係る携帯電話機では、携帯電話機に上記方向操作キーの他に設けられている決定操作キー（例えば、十字キーの中央に設けられている決定キー）がユーザによって操作されたことでブロックにメディア情報を配置するために選択決定入力とし、ブロックが選択決定されたことに応じて当該ブロックにメディア情報を配置せる操作入力を受け付けるためのソフトキーを画面に表示する。
したがって、例えば、ソフトキーに従った操作キーによる操作をユーザが行うことで、選択決定したブロックに対してテキスト、写真、動画当といった種々なメディア情報を配置することができ、ページ内に含ませるメディア情報の編集を容易に行うことができる。
なお、このメディア情報の編集は、未だメディア情報が配置されていないブロックに新たにメディア情報を配置する以外に、既にメディア情報が配置されているブロックに新たに入力したメディア情報を配置して更新することも行う。
【００１２】
また、本発明は、携帯電話機が有するコンピュータハードウエアを利用して、当該携帯電話機にページ情報を作成してネットワークに公開するサーバへ送信する処理を実行させるコンピュータプログラムであり、ページ情報に含ませるメディア情報を配置するための領域である複数の矩形ブロックを携帯電話機の画面の幅内で区画して当該画面に表示する機能と、方向操作キーからの操作入力に応じて選択位置を上下左右に移動させて画面に表示された複数のブロックの内からメディア情報の配置対象となるブロックを選択する機能と、メディア情報を配置するためにブロックを選択決定する決定操作キーからの操作入力に応じて当該ブロックにメディア情報を配置せる操作入力を受け付けるためのソフトキーを画面に表示する機能と、ソフトキーからのメディア情報を配置させる操作入力に応じて入力されたメディア情報を当該ブロックの位置に配置したページ情報を作成する機能と、作成したページ情報をサーバへ登録するために無線送信する機能と、を携帯電話機に実現する。
【００１３】
また、本発明は、携帯電話機がページ情報を作成してサーバへ送信して登録し、当該サーバが当該ページ情報をネットワークに公開するシステムであり、携帯電話機は、情報を表示する画面と、ページ情報に含ませるメディア情報を配置するための領域である複数の矩形ブロックを画面の幅内で区画して当該画面に表示する表示機能と、方向操作キーからの操作入力に応じて選択位置を上下左右に移動させて画面に表示された複数のブロックの内からメディア情報の配置対象となるブロックを選択する機能と、メディア情報を配置するためにブロックを選択決定する決定操作キーからの操作入力に応じて当該ブロックにメディア情報を配置せる操作入力を受け付けるためのソフトキーを画面に表示する機能と、ソフトキーからのメディア情報を配置させる操作入力に応じて入力されたメディア情報を当該ブロックの位置に配置したページ情報を作成する機能と、作成したページ情報をサーバへ登録するために無線送信する機能とを有する。
【００１４】
また、本発明は、携帯電話機により当該サーバがネットワークに公開するページ情報を作成して登録する方法であり、携帯電話機が、ページ情報に含ませるメディア情報を配置するための領域である複数の矩形ブロックを画面の幅内で区画して当該画面に表示し、方向操作キーからの操作入力に応じて選択位置を上下左右に移動させて画面に表示された複数のブロックの内からメディア情報の配置対象となるブロックを選択し、メディア情報を配置するためにブロックを選択決定する決定操作キーからの操作入力に応じて当該ブロックにメディア情報を配置させる操作入力を受け付けるためのソフトキーを画面に表示し、ソフトキーからのメディア情報を配置せる操作入力に応じて入力されたメディア情報を当該ブロックの位置に配置したページ情報を作成し、作成したページ情報をサーバへ登録するために無線送信し、サーバが、携帯電話機から送信されたページ情報を受信し、受信したページ情報をネットワークに公開するために登録する。
【発明の効果】
【００１５】
本発明によると、ページ情報に含ませるメディア情報の配置領域を予めブロックで画面に表示し、携帯電話機の操作キーにより当該ブロックに対する処理操作を行えるようにしたため、画面の大きさや操作ボタンの数に限りがある携帯電話機を用いて、複数のメディア情報を含むページ情報を容易に作成してサーバに登録することができる。
【発明を実施するための最良の形態】
【００１６】
本発明を一実施例に基づいて具体的に説明する。
図１には本例に係るシステムの全体構成を示してある。携帯電話機１は基地局２との間の無線通信を介してネットワークＮに接続され、また、携帯電話機用のページ情報を公開するサーバＳがネットワークＮに接続される。
【００１７】
サーバＳは、携帯電話機１に提供する多数のページ情報を識別子（ＵＲＬ）で識別して格納するデータベース３、ネットワークＮを介して携帯電話機１から送信されてきたページ情報をデータベース３に登録するページ登録部４、ネットワークＮを介して携帯電話機１から送信されてきた要求に応じて該当するページ情報をデータベース３から読み出してネットワークＮを介して提供するページ配信部５を有している。
したがって、携帯電話機１がページ情報を所定のＵＲＬで指定してサーバＳへ送信することにより当該ページ情報がデータベース３に登録され、また、携帯電話機１がＵＲＬで特定したページ情報要求をサーバＳへ送信することにより当該ページ情報をサーバＳから受信してその画面１０に表示するすることができる。
【００１８】
図２に外観構成を示す本例の携帯電話機１は、公知のように、情報を表示するための液晶画面１０、オフフックボタンキー１１、オンフックボタンキー１２、「１」〜「０」「＊」「＃」といった１２個のボタンキー１３、携帯電話機１に備えられているカメラを操作するためのカメラボタンキー１４、携帯電話機１に備えられている諸機能を起動するための機能ボタンキー１５、携帯電話機１に備えられている電子メール機能を起動するためのメールボタンキー１６、携帯電話機１に備えられているネットワーク接続機能を起動するためのネットワークボタンキー１７、携帯電話機１に備えられているメニュー機能を起動するためのメニューボタンキー１８、携帯電話機１に備えられているクリア機能を起動するためのクリアボタンキー１９、上下左右の押下位置を有する環状の十字ボタンキー２０、十字ボタンキーの中央に設けられた決定ボタンキー２１を有している。
【００１９】
画面１０の下部には、３つのソフトキー（Ａ〜Ｃ）２４〜２６が表示され、これらソフトキー（Ａ〜Ｃ）の操作は、それぞれメールボタンキー（ａ）１６、決定ボタンキー（ｂ）２１、ネットワークボタンキー（ｃ）１７に対応付けられて、これらハードキー（ａ〜ｃ）の操作によって各ソフトキー（Ａ〜Ｃ）が操作される。
また、十字ボタンキー２０を操作することにより、画面１０に表示されたカーソル位置を上下左右に移動させ、また、後述するように画面１０に桝目状に区画されて表示された複数のブロックの内の選択対象位置を上下左右に移動させることができる。
【００２０】
なお、図中の２２はスピーカ部、２３はマイクロフォン部である。
また、公知のように、ボタンキー１３の「１」には「あ行」又は「Ａ、Ｂ、Ｃ」、「２」には「か行」又は「Ｄ、Ｅ、Ｆ」、…「９」には「ら行」又は「Ｗ、Ｘ、Ｙ、Ｚ」、「０」には「ワ行」及び「ん」、「＃」には句読点といったように、ボタンキー１３にはテキスト入力に必要が文字や記号が割り当てられている。
【００２１】
図３には、本例の携帯電話機１が本発明を実行するために備える機能構成を示してある。
携帯電話機１は、画面１、上記のハードキーやソフトキーを備えた操作部３０、カメラボタンキー１４により操作される写真や動画を撮影するカメラ３１、画面に対する情報の表示処理を行う表示処理部３２、基地局２との無線通信を行う無線部３３、操作部３０からの操作入力に応じてページ情報の作成処理を行うページ処理部３４、作成したページ情報をサーバＳへ登録するために無線部３３を介して送信する登録処理部３５を有している。
【００２２】
更に、ページ処理部３４は、画面表示されたページ情報中のブロックのレイアウトやサイズ変更等といったメディア情報を配置するブロックに関する編集処理を行うブロック編集部３６、ブロックに対するメディア情報の配置等といったブロック毎の情報編集処理を行うブロック内編集部３７、ブロックに配置されたメディア情報を含むページ情報を作成するページデータ生成部３８を有している。
なお、本例では、操作部３０、表示処理部３２、ページ処理部３４、登録処理部３５等といった本発明に係る処理を実行する機能部は、所定のコンピュータプログラムを携帯電話機１のメモリに格納させ、当該携帯電話機１に備えられているプロセッサやメモリ等のコンピュータハードウエアにより当該コンピュータプログラムを実行することにより構成されている。
【００２３】
本例では、ページ情報の作成登録処理は、主に表示処理部３２やページ処理部３４により図４に示すような手順で行われ、ページ情報或いはブロック構成を画面１０に表示するメイン画面処理(ステップＳ１)、ページ内にメディア情報を配置するためのブロックを追加するブロック追加処理(ステップＳ２)、ブロックのサイズ変更や位置移動するブロック編集処理(ステップＳ３)、ブロックに対してメディア情報を配置してページ情報を作成するブロック内編集処理（ステップＳ４）がなされる。
【００２４】
メイン画面処理(ステップＳ１)では、ブロック編集部３６と表示処理部３２とが協働して、画面１０に図５に示すような情報画像を表示する。なお、画面１０に表示するページ情報は、編集処理に際してサーバＳから取得するようにしてもよく、或いは、先に登録したページ情報を携帯電話機１のメモリに保持しておいて用いてもよく、いずれにしても、画面１０に表示するページ情報が編集処理の対象となる。
【００２５】
図５に示す状態では、メディア情報を配置するための４つのブロック４０ａ〜４０ｄが画面１０の幅内で区画されて表示されており、ブロック４０ａにはメディア情報として写真情報が既に配置され、ブロック４０ｂにはメディア情報としてテキスト情報が既に配置され、ブロック４０ｃにはメディア情報として動画情報が既に配置され、ブロック４０ｄは未だメディア情報が配置されていない空き状態となっている。
なお、ページ情報は画面１０の幅内で巻紙の様に縦方向へ連続しており、ページ情報内に区画化された他のブロックは、方向操作キー２０を操作して下方へスクロールすることにより画面１０に表示することができる。
【００２６】
また、図５に示す画面表示では、ソフトキー２５には表示切換え機能が設定されており、ユーザが当該ソフトキー２５を操作することにより、表示処理部３２が、図６に示すようなブロック構成を設定されたメディア種類をアイコン４１ａ〜４１ｄで示す表示態様や、図７に示すようなページ情報をブロックの区画を表示しない態様に画面１０の表示を変更する。
なお、図７に示す表示態様は当該ページ情報を閲覧する携帯電話機の画面に表示される態様であり、ブロックのレイアウトに従ったレイアウトでページ情報内の各メディア情報が表示され、また、空のブロック４０ｄは閲覧ユーザには視認されない。
【００２７】
また、図５に示す画面表示では、ソフトキー２７にはページ情報の編集処理に係る諸機能が設定されており、ユーザが当該ソフトキー２７を操作することにより、表示処理部３２が、図８に示すような機能メニュー４３を画面１０に表示する。
【００２８】
機能メニュー４３には、新規ページを作成するための「新規ページ」、編集対象を他のページに切替えるための「ページ移動」、ページ情報を削除するための「ページ削除」、ページ情報の背景色等を編集するための「背景編集」、編集処理を終了するための「編集終了」に加えて、画面１０に表示している（すなわち編集している）ページ情報をサーバＳへ送信して登録する「アップロード」が設けられており、ユーザが十字ボタンキー２０を操作して所望の項目を選択して、決定ボタンキー２１により選択を決定することにより、選択した機能が実行される。
したがって、「アップロード」が選択決定されることにより、登録処理部３５が、画面１０に表示しているページ情報をサーバＳに送信して登録させる。
【００２９】
ブロック追加処理(ステップＳ２)では、ブロック編集部３６と表示処理部３２とが協働して、画面１０に図９に示すように未だメディア情報が配置されていない空き状態のブロック４０ｄに対してメディア情報を設定するための処理を行う。
なお、図５に示す表示状態において、十字ボタンキー２０を操作して空き状態ブロック４０ｄを選択（同図には、ブロック４０ｄを網掛けして選択された状態を示す。）することにより、表示処理部３２がソフトキー２６を「追加」に変更して画面１０に表示する。
【００３０】
そして、ユーザがソフトキー「追加」２６を操作してブロック４０ｄの選択を決定すると、図９（ｂ）に示すように画面１０に当該選択決定されたブロック４０ｄに配置するメディア情報種別を選択決定するための「新規ブロック選択」メニュー４５が表示される。
新規ブロック選択メニュー４５には、ブロックに配置することができるメディア情報の種別を表示するアイコンが設けられており、ユーザが十字ボタンキー２０を操作して所望のアイコンを選択して、決定ボタンキー２１により選択を決定することにより、選択したメディア情報種別が当該ブロック４０ｄに設定される。
【００３１】
したがって、写真情報を示すアイコン４６ａが選択された場合には当該ブロック４０ｄに種別属性として写真が設定され、テキスト情報を示すアイコン４６ｂが選択された場合には当該ブロック４０ｄに種別情報としてテキストが設定され、動画情報を示すアイコン４６ｃが選択された場合には当該ブロック４０ｄに種別情報として動画が設定され、地図情報を示すアイコン４６ｄが選択された場合には当該ブロック４０ｄに種別情報として地図が設定される。
【００３２】
ここで、ページ情報のデータは、図１６に示すように、各ブロックについてページ中の位置情報（位置）、ブロックの大きさ（サイズ）、ブロックに配置されるメディア情報の種別属性（種別）、ブロックに配置されるメディア情報の実体データ（コンテンツデータ）を含んだ構成であり、上記選択された種別情報が種別属性（種別）に設定される。
なお、上記のように種別情報の設定がなされると、後述するブロック編集処理(ステップＳ３)へ自動的に移行する。
【００３３】
ブロック編集処理(ステップＳ３)では、ブロック編集部３６と表示処理部３２とが協働して、画面１０に図１０に示すように選択したブロックの大きさ変更や位置変更を行うための処理を行う。
なお、ブロック編集処理(ステップＳ３)を操作実行するための画面表示（図１０（ｂ））は、対象とするブロックを十字ボタンキー２０で選択して図１０（ａ）（すなわち、図５）に示す画面表示の編集ソフトキー２６を選択することによりなされる他、上記のようにメディア情報種別の設定によってもなされる。
【００３４】
ブロック編集処理(ステップＳ３)では、図１０（ｂ）に示すように、選択されたブロックの編集を行うためのメニュー４７が画面１０に表示される。
メニュー４７には、ブロックの大きさを変更させる処理を選択するためのアイコン４８ａ、ブロックをページ内で移動させる処理を選択するためのアイコン４８ｂ、ブロックにメディア情報を配置する処理を選択するためのアイコン４８ｃが設定されている。
したがって、ユーザが十字ボタンキー２０を操作して所望のアイコンを選択して、決定ボタンキー２１により選択を決定することにより、選択した編集処理が可能となる。
【００３５】
ブロックの大きさを変更させる処理のアイコン４８ａが選択決定されると、選択したブロックを図１１（ａ）に示すように操作して大きさを変更することができる。具体的には、ユーザが十字ボタンキー２０を上下左右に操作することに応じて、選択されたブロック４０ｃの枠を移動させ、当該ブロック４０ｃを所望の大きさとしたところで決定ボタンキー２１を操作する。なお、この大きさデータは、ページ生成部３８により、図１６に示す当該ブロック４０ｃのサイズ属性に設定される。
【００３６】
ブロックをページ内で移動させる処理のアイコン４８ｂが選択決定されると、選択したブロックを図１１（ｂ）に示すように操作してページ内の他の位置に移動させて、他のブロックとの位置関係を変更することができる。具体的には、ユーザが十字ボタンキー２０を上下左右に操作することに応じて、選択されたブロック４０ｃをページ内で移動させ、当該ブロック４０ｃを所望の位置に移動させたところで決定ボタンキー２１を操作する。なお、この位置データは、ページ生成部３８により、図１６に示す当該ブロック４０ｃの位置属性に設定される。
【００３７】
ここで、上記のように、ブロックの追加、ブロックへの種別設定、ブロックの大きさ変更、ブロックの移動等といった処理は、画面１０に区画表示されている所望のブロックを十字ボタンキー２０による上下左右操作で選択することでなされるため、携帯電話機１に現状で備えられている操作ボタンキーを利用した操作によって容易に実行させることができる。更に、ページ内のメディア情報のレイアウトを規定する各ブロックは画面１０の幅内において設定されているため、作成したページ情報を取得した携帯電話機において、表示対象のページ情報が画面からはみ出す等といった不具合を解消することができる。
【００３８】
次いで、ブロックにメディア情報を配置する処理のアイコン４８ｃが選択決定されると、選択したブロックに対するブロック内編集処理（ステップＳ４）が可能となる。
具体的には、アイコン４８ｃが選択決定されると、ブロック内編集部３７と表示処理部３２とが協働して、選択したブロックに設定されているメディア情報種別に応じて、図１２〜図１５に示すようなブロック内に配置するメディア情報を編集するための編集ウインドウ５０、６０、７０、８０を画面１０に表示し、編集ウインドウに対するユーザ操作入力に基づいたメディア情報を当該ブロックに配置する。
【００３９】
図１２に示す編集ウインドウ５０はテキスト種別が設定されたブロック４０ｂが選択されている時に表示される文字ブロック編集用のウインドウであり、ボタンキー１３の操作に応じた文字列を入力する編集領域５１が設けられている。また、編集ウインドウ５０には、入力する文字の種類を変更するための「文字」ソフトキー５２がメールボタンキー１６の操作に対応付けて設けられ、編集領域５１に入力した文字列を確定するための「確定」ソフトキー５３が決定ボタンキー２１の操作に対応付けて設けられ、コピーや改行等といった編集機能を選択するための「機能」ソフトキー５４がネットワークボタンキー１７の操作に対応付けて設けられている。
【００４０】
「確定」ソフトキー５３が操作されることにより、ページデータ生成部３８が、編集領域５１に入力した文字列を図１６に示す当該ブロックのコンテンツデータとして設定する。
したがって、ユーザは携帯電話機１を用いてメールを作成すると同様な操作を行うことで、ページ情報に含ませるテキスト文字列を作成してページ情報内に配置することができる。
【００４１】
図１３に示す編集ウインドウ６０は地図種別が設定されたブロックが選択されている時に表示される地図ブロック編集用のウインドウであり、ボタンキー１３の操作に応じた地図データの指定文字列を入力する編集領域６１が設けられている。なお、本例では、地図種別が設定されたブロックは所定のＵＲＬにより地図データの提供サイトにアクセスする機能が設けられており、編集領域６１に書き込まれた地図の中心となる住所によって、提供サイトから送信された地図画像を画面に表示する。
【００４２】
また、編集ウインドウ６０には、入力する文字の種類を変更するための「文字」ソフトキー６２がメールボタンキー１６の操作に対応付けて設けられ、編集領域６１に入力した文字列を確定するための「確定」ソフトキー６３が決定ボタンキー２１の操作に対応付けて設けられ、コピーや改行等といった編集機能を選択するための「機能」ソフトキー６４がネットワークボタンキー１７の操作に対応付けて設けられている。
【００４３】
「確定」ソフトキー５３が操作されることにより、ページデータ生成部３８が、編集領域６１に入力した文字列を図１６に示す当該ブロックのコンテンツデータとして設定する。
したがって、ユーザは携帯電話機１を用いてメールを作成すると同様な操作を行うことで、ページ情報に含ませる地図を指定してページ情報内に配置することができる。
【００４４】
図１４に示す編集ウインドウ７０は写真種別が設定されたブロック４０ａが選択されている時に表示される写真ブロック編集用のウインドウであり、カメラ３１で撮影した写真を入力する編集領域７１が設けられている。また、編集ウインドウ７０には、カメラ３１による撮影を写真（静止画）と動画とに切替えるための「ＩＮ」ソフトキー７２がメールボタンキー１６の操作に対応付けて設けられ、カメラ３１による撮影を行うための「撮影」ソフトキー７３が決定ボタンキー２１の操作に対応付けて設けられ、撮影画像サイズ等の調整を行うための「機能」ソフトキー７４がネットワークボタンキー１７の操作に対応付けて設けられている。
【００４５】
「撮影」ソフトキー７３が操作されて編集領域７１に入力された写真は、ページデータ生成部３８が、図１６に示す当該ブロック４０ａのコンテンツデータとして設定する。なお、このコンテンツデータの設定は上書き処理によりなされ、撮り直しをした写真がコンテンツデータとして設定される。
したがって、ユーザは携帯電話機１を用いて写真を撮影すると同様な操作を行うことで、ページ情報に含ませる写真画像をページ情報内に配置することができる。
【００４６】
図１５に示す編集ウインドウ８０は動画種別が設定されたブロック４０ｃが選択されている時に表示される動画ブロック編集用のウインドウであり、カメラ３１で撮影した動画像を入力する編集領域８１が設けられている。また、編集ウインドウ８０には、カメラ３１による撮影を動画と写真とに切替えるための「ＩＮ」ソフトキー８２がメールボタンキー１６の操作に対応付けて設けられ、カメラ３１による撮影を行うための「撮影」ソフトキー８３が決定ボタンキー２１の操作に対応付けて設けられ、撮影画像サイズ等の調整を行うための「機能」ソフトキー８４がネットワークボタンキー１７の操作に対応付けて設けられている。
【００４７】
「撮影」ソフトキー８３が操作されて編集領域８１に入力された動画は、ページデータ生成部３８が、図１６に示す当該ブロック４０ｃのコンテンツデータとして設定する。なお、このコンテンツデータの設定は上書き処理によりなされ、撮り直しをした動画がコンテンツデータとして設定される。
したがって、ユーザは携帯電話機１を用いて動画を撮影すると同様な操作を行うことで、ページ情報に含ませる動画像をページ情報内に配置することができる。
【００４８】
上記のようにしてブロックの編集及びブロック内へのメディア情報の配置を行うと、ページデータ生成部３８が、これらブロック及びメディア情報に関するデータを図１６に示すようなページデータに生成し、当該ページ情報データを登録処理部３５が無線部３３を介してサーバＳへ送信する。
サーバＳでは、携帯電話機１から受信したページ情報データを該当するＵＲＬで識別してデータベース３に登録し、ネットワークＮを介して携帯電話機１から受信する要求に応じて提供する。したがって、サーバＳからページ情報を取得した携帯電話機は、上記のようにして携帯電話機により複数種類のメディア情報を配置して作成されたページ情報を画面に表示して閲覧することができる。
【図面の簡単な説明】
【００４９】
【図１】本発明の一例に係るシステム構成図である。
【図２】本発明の一例に係る携帯電話機の外観構成図である。
【図３】本発明の一例に係る携帯電話機の機能構成図である。
【図４】本発明の一例に係る処理手順の概要を説明する図である。
【図５】本発明の一例に係る画面表示態様を示す図である。
【図６】本発明の一例に係る画面表示態様を示す図である。
【図７】本発明の一例に係る画面表示態様を示す図である。
【図８】本発明の一例に係る機能メニューを説明する図である。
【図９】本発明の一例に係るブロック追加処理の画面表示態様を示す図である。
【図１０】本発明の一例に係るブロック編集処理の画面表示態様を示す図である。
【図１１】本発明の一例に係るブロックの大きさ変更処理及び移動処理を説明する図である。
【図１２】本発明の一例に係る文字ブロック編集処理の画面表示態様を示す図である。
【図１３】本発明の一例に係る地図ブロック編集処理の画面表示態様を示す図である。
【図１４】本発明の一例に係る写真ブロック編集処理の画面表示態様を示す図である。
【図１５】本発明の一例に係る動画ブロック編集処理の画面表示態様を示す図である。
【図１６】本発明の一例に係るページ情報データの構成を説明する図である。
【符号の説明】
【００５０】
１：携帯電話機、  １０：画面、
１１〜１９：操作ボタンキー（ハードキー）、
２５〜２７、５２〜５３、６２〜６３、７２〜７３、８２〜８３：ソフトキー、
３０；操作部、  ３１：カメラ、
３２：表示処理部、  ３３：無線部、
３４：ページ処理部、  ３５：登録処理部、
３６：ブロック編集部、  ３７：ブロック内編集部、
３８：ページデータ生成部、  ４０ａ〜４０ｄ：ブロック、
４５、４７：メニュー画面、  ５０、６０、７０、８０：編集画面、
【図１】
2006060463.tif 000003
【図２】
2006060463.tif 000004
【図３】
2006060463.tif 000005
【図４】
2006060463.tif 000006
【図５】
2006060463.tif 000007
【図６】
2006060463.tif 000008
【図７】
2006060463.tif 000009
【図８】
2006060463.tif 000010
【図９】
2006060463.tif 000011
【図１０】
2006060463.tif 000012
【図１１】
2006060463.tif 000013
【図１２】
2006060463.tif 000014
【図１３】
2006060463.tif 000015
【図１４】
2006060463.tif 000016
【図１５】
2006060463.tif 000017
【図１６】
2006060463.tif 000018